(57)【特許請求の範囲】
【請求項１】
第１の基板と、前記第１の基板上に設けられた第１の電極と、第２の基板と、前記第２の基板上に設けられ、前記第１の電極に対向する第２の電極と、前記第１の電極と前記第２の電極との間に挟持された電気光学層とを有し、前記電気光学層に、液相分散媒と電気泳動粒子とを含む電気泳動分散液を封入したマイクロカプセルが収容された電気泳動装置の製造方法であって、
前記マイクロカプセルが収容された電気光学層の視認側となる一面側から、前記マイクロカプセルの壁膜を着色する工程を有することを特徴とする電気泳動装置の製造方法。
【請求項２】
第１の基板と、前記第１の基板上に設けられた第１の電極と、第２の基板と、前記第２の基板上に設けられ、前記第１の電極に対向する第２の電極と、前記第１の電極と前記第２の電極との間に挟持された電気光学層とを有し、前記電気光学層に、液相分散媒と電気泳動粒子とを含む電気泳動分散液を封入したマイクロカプセルと、バインダとが収容された電気泳動装置の製造方法であって、
前記マイクロカプセル及びバインダが収容された電気光学層の視認側となる一面側から、前記マイクロカプセルの壁膜及び／又はバインダを着色する工程を有することを特徴とする電気泳動装置の製造方法。
【請求項３】
請求項１又は２に記載の電気泳動装置の製造方法において、
前記マイクロカプセルの壁膜及び／又はバインダを印刷法により着色することを特徴とする電気泳動装置の製造方法。
【請求項４】
請求項１又は２に記載の電気泳動装置の製造方法において、
着色材料を吐出するヘッドと前記基板との相対位置を移動させる工程と、
前記ヘッドから電気光学層の一面側に前記着色材料を吐出する工程とを具備したことを特徴とする電気泳動装置の製造方法。
【発明の詳細な説明】
【０００１】
【発明の属する技術分野】
本発明は電気泳動装置に関し、特に少なくとも一方が透明な材料で形成された一対の基板の間に、液相分散媒と電気泳動粒子とを含む電気泳動分散液を封入したマイクロカプセルが収容されてなる電気泳動装置とその製造方法に関する。
さらに、本発明は、その電気泳動装置に基づく電気泳動表示装置を備えるようにした各種の電子機器に関する。
【０００２】
【従来の技術】
従来、一対の基板間に、液相分散媒と電気泳動粒子とを含む電気泳動分散液が収容されてなる電気泳動装置について、該電気泳動分散液に電圧を印加することによって電気泳動粒子の分布状態が変化することを利用した電気泳動表示装置への適用が知られている。
【０００３】
さらに、上記の如き電気泳動表示装置について、電気泳動分散液をマイクロカプセルに封入し、該マイクロカプセルを一対の基板間に収容してなる電気泳動表示装置が知られている。以下では、このような構造の電気泳動表示装置をマイクロカプセル型電気泳動表示装置を呼ぶ。
【０００４】
図１３（ａ）に、マイクロカプセル型電気泳動表示装置の一般的な構造図を示す。この電気泳動表示装置２０は、第1の基板１に形成された電極３と、第２の基板２に形成された透明電極４とを有する。これら電極３と透明電極４との間には、マイクロカプセル４０と、必要に応じてバインダ４１とが収容されている。同図は、表示装置の１画素分の断面を示しているものとする。
マイクロカプセル４０には、液相分散媒６と、この液相分散媒６中に分散されている電気泳動粒子５とを含む電気泳動分散液１０が封入されている。そして、液相分散媒６と電気泳動粒子５とは、互いに異なる着色がなされているものとする。
【０００５】
この電気泳動表示装置２０は、互いに逆方向の電圧を印加するための電圧源９ａ及び９ｂを、切換スイッチ８を介して接続している。つまり、電極３は電圧源９ａ及び９ｂの一端に接続され、電極４は切換スイッチ８を介して電圧源９ａ及び９ｂの他端に接続されている。このような接続をしておけば、切換スイッチ８の切換えによって、電極３，４間に印加する電圧の方向を変えることができる。印加する電圧の方向を変えることにより、電気泳動粒子を所望の電極側に集めて所望の表示を行うことができる。すなわち、電気泳動粒子５が正に帯電している場合、同図（ｂ）に示すように、電圧源９ａによる電圧を印加することによって観測者に近い透明電極４側に電気泳動粒子５を集めることができる。この状態において、観測者は電気泳動粒子５の色を見ることになる。一方、同図（ｃ）に示すように、電圧源９ｂによる電圧を印加することによって観測者から遠い電極３側に電気泳動粒子５を集めることができる。この状態において、観測者は液相分散媒６の色を見ることになる。電気泳動粒子５が負に帯電している場合は、粒子の動く方向は上記の説明と逆になる。
【０００６】
上述したように、図１３（ａ）に示す構成を採用すれば、電圧を印加する方向に対応する２種類の色を表示することができるので、同図に示す構成を１画素に適用し、これをマトリクス状に配置すれば電気泳動表示装置を実現することができる。
【０００７】
【発明が解決しようとする課題】
ところで、上述した電気泳動表示装置において、表示する画像の美しさや情報量を向上するためには、カラー表示とすることが望ましい。
【０００８】
カラー表示を実現するための手段としては、例えば、所定の三原色のいずれかの色に着色された分散媒と、前記三原色とは異なる所定の色に着色された電気泳動粒子とが封入された、前記分散媒の色により区別される三種類のマイクロカプセルを使用する方法が提案されている。しかし、本方法においては、前記三種類のマイクロカプセルを規則正しく正確に配列する必要があり、このことが製造工程を著しく複雑にするという問題がある。
【０００９】
あるいは、色フィルターを組合せることによりカラー表示を実現する方法も考えられる。しかし、本方法をマイクロカプセル型表示装置に適用した場合、構成部材の増加によるコスト上昇を招くとともに、マイクロカプセルとバインダとの混合層の外側に色フィルターを配置するために、視差を生じてしまうという問題がある。
【００１０】
そこで、本発明は上述した従来技術の欠点を解決するためになされたものであり、その第１の目的は、簡単な工程で製造でき、コスト上昇を招くことなく、かつ、視差の生じない電気泳動装置を提供することである。
また、本発明の第２の目的は、表示装置を備えた電子機器において、その表示装置が電気泳動表示装置であっても、視差の生じない電子機器を提供することである。
【００１１】
【課題を解決するための手段】
先の問題点を解決し、目的を達成するために、本発明は以下のように構成した。
本発明の電気泳動装置の製造方法は、第１の基板と、前記第１の基板上に設けられた第１の電極と、第２の基板と、前記第２の基板上に設けられ、前記第１の電極に対向する第２の電極と、前記第１の電極と前記第２の電極との間に挟持された電気光学層とを有し、前記電気光学層に、液相分散媒と電気泳動粒子とを含む電気泳動分散液を封入したマイクロカプセルが収容された電気泳動装置の製造方法であって、前記マイクロカプセルが収容された電気光学層の視認側となる一面側から、前記マイクロカプセルの壁膜を着色する工程を有することを特徴とする。
本発明の電気泳動装置の製造方法は、第１の基板と、前記第１の基板上に設けられた第１の電極と、第２の基板と、前記第２の基板上に設けられ、前記第１の電極に対向する第２の電極と、前記第１の電極と前記第２の電極との間に挟持された電気光学層とを有し、前記電気光学層に、液相分散媒と電気泳動粒子とを含む電気泳動分散液を封入したマイクロカプセルと、バインダとが収容された電気泳動装置の製造方法であって、前記マイクロカプセル及びバインダが収容された電気光学層の視認側となる一面側から、前記マイクロカプセルの壁膜及び／又はバインダを着色する工程を有することを特徴とする。
本発明の電気泳動装置は、第１の基板と、前記第１の基板上に設けられた第１の電極と、第２の基板と、前記第２の基板上に設けられ、前記第１の電極に対向する第２の電極と、前記第１の電極と前記第２の電極との間に挟持された電気光学層とを有し、前記電気光学層に、液相分散媒と電気泳動粒子とを含む電気泳動分散液を封入したマイクロカプセルが収容され、前記マイクロカプセルの壁膜が部分的に着色され、当該着色された部位が当該電気泳動装置の視認側に配置されている。このような構成とすることで、色フィルターを使用する必要がなくなるためコスト上昇を招くことがなく、電気泳動分散液に接しているマイクロカプセル壁膜の視認側を着色することから、視差の発生を防ぐことができる。ここで、上記「視認側」とは、上記電気泳動装置の主面のうち観察者により視認される側を指し、上記電気泳動装置を表示装置として用いる場合には、その表示面側を指す。
【００１２】
また本発明の電気泳動装置は、第１の基板と、前記第１の基板上に設けられた第１の電極と、第２の基板と、前記第２の基板上に設けられ、前記第１の電極に対向する第２の電極と、前記第１の電極と前記第２の電極との間に挟持された電気光学層とを有し、前記電気光学層に、液相分散媒と電気泳動粒子とを含む電気泳動分散液を封入したマイクロカプセルと、バインダとが収容され、前記バインダが部分的に着色され、当該着色された部位が当該電気泳動装置の視認側に配置されていることを特徴としている。このような構成にすることによっても、上記と同様な効果が得られる。すなわち、このような構成にすることによって、色フィルターを使用する必要がなくなるためコスト上昇を招くことがなく、マイクロカプセルの周囲を取り囲むバインダの視認側を着色することから、視差の発生を防ぐことができる。
【００１３】
また本発明の電気泳動装置は、第１の基板と、前記第１の基板上に設けられた第１の電極と、第２の基板と、前記第２の基板上に設けられ、前記第１の電極に対向する第２の電極と、前記第１の電極と前記第２の電極との間に挟持された電気光学層とを有し、前記電気光学層に、液相分散媒と電気泳動粒子とを含む電気泳動分散液を封入したマイクロカプセルと、バインダとが収容され、前記マイクロカプセルの壁膜とバインダの少なくとも一方が部分的に着色され、当該着色された部位が当該電気泳動装置の視認側に配置されていることを特徴としている。このような構成にすることによっても、上記と同様な効果が得られる。すなわち、このような構成にすることによって、色フィルターを使用する必要がなくなるためコスト上昇を招くことがなく、電気泳動分散液に接しているマイクロカプセル壁膜とバインダのとの少なくとも一方を着色することから、視差の発生を防ぐことができる。
【００１４】
本発明の電気泳動装置は、前記マイクロカプセル壁膜が２種類以上の色で着色されている構成とすることもできる。このような構成とすることによって、マイクロカプセルの配置状態によらず所定位置に配色することができる。
【００１５】
本発明の電気泳動装置は、前記バインダが２種類以上の色で着色されている構成とすることもできる。このような構成とすることによって、前記バインダが偏在する場合でも、その状態によらず所定位置には移植することができる。
【００１６】
本発明の電気泳動装置は、前記基板面内に形成された前記第１の電極が複数に分割されるとともに、前記電気光学層が複数の色種を有しており、前記第１の電極の分割パターンに対応して前記電気光学層が着色されていることを特徴とする。
前記基板面内に複数のドット領域を有するとともに、前記電気光学層が複数の色種を有しており、前記ドット領域の各々に、前記複数の色種の少なくとも１が対応している構成とすることができる。このような構成にすることによって、各ドット領域毎に異なる色を呈する電気泳動装置を提供することができる。
【００１７】
上記本発明の電気泳動装置は、前記電気泳動層が複数の色種を有しており、前記複数の色種が、加法混色又は減法混色の三原色である構成とすることもできる。このような構成とすることによって、前記三原色の組み合わせにより所望の色相を表示することができる。
【００１８】
本発明の電気泳動装置は、前記マイクロカプセル壁膜と、前記バインダとが、互いに異なる色に着色されている構成とすることもできる。このような構成にすることによって、表現する色のバリエーションを広くすることができる。
【００１９】
次に、本発明の電気泳動装置の製造方法は、第１の基板と、前記第１の基板上に設けられた第１の電極と、第２の基板と、前記第２の基板上に設けられ、前記第１の電極に対向する第２の電極と、前記第１の電極と前記第２の電極との間に挟持された電気光学層とを有し、前記電気光学層に、液相分散媒と電気泳動粒子とを含む電気泳動分散液を封入したマイクロカプセルが収容された電気泳動装置の製造方法であって、
前記マイクロカプセルが収容された電気光学層の一面側から、前記マイクロカプセルの壁膜を着色する工程を有することを特徴としている。このような構成とすることにより、カラー表示のために別途カラーフィルタを設ける必要がないために低コストで電気泳動装置を製造することができるとともに、マイクロカプセルを構成する壁膜や分散液を予め着色しておく方法のように、マイクロカプセルの配置を考慮する必要がないために極めて容易にカラー表示の電気泳動表示装置を製造することができる。
【００２０】
第１の基板と、前記第１の基板上に設けられた第１の電極と、第２の基板と、前記第２の基板上に設けられ、前記第１の電極に対向する第２の電極と、前記第１の電極と前記第２の電極との間に挟持された電気光学層とを有し、前記電気光学層に、液相分散媒と電気泳動粒子とを含む電気泳動分散液を封入したマイクロカプセルと、バインダとが収容された電気泳動装置の製造方法であって、
前記マイクロカプセル及びバインダが収容された電気光学層の一面側から、前記マイクロカプセルの壁膜及び／又はバインダを着色する工程を有することを特徴としている。このような構成とした場合にも、上記と同様の効果を得ることができる。
【００２１】
本発明の電気泳動装置の製造方法では、前記マイクロカプセルの壁膜及び／又はバインダを印刷法により着色することもできる。このような構成にすることにより、簡単な工程で電気泳動装置を製造することができる。上記印刷法は、インクジェット法、スクリーン印刷法、又はオフセット印刷印刷法等を適用することができる。
【００２２】
本発明の電気泳動装置の製造方法は、着色材料を吐出するヘッドと前記基板との相対位置を移動させる工程と、前記ヘッドから電気光学層の一面側に前記着色材料を吐出する工程とを具備した構成とすることができる。このような構成とすることによって、所定位置に正確に着色材料を配置することができるので、複雑な配色とする場合にも着色工程を容易に行うことができる。
【００２３】
次に、本発明の電子機器は、データを表示する表示装置を備えている電子機器であって、前記表示装置は、先のいずれかに記載の電気泳動装置を使用した電気泳動表示装置からなるようにしたことを特徴としている。このような構成によれば、表示装置が電気泳動表示装置であっても、視差の生じない表示装置を有する電子機器が得られる。
【００２４】
【発明の実施の形態】
次に、図面を参照して本発明の実施の形態について説明する。なお、以下の説明において参照する各図では、他の図と同等部分は同一符号によって示されている。
【００２５】
（第１の実施形態）
図１は本発明の第１の実施形態による電気泳動装置を示す図である。ここで、簡単のために同図では電源装置を省略してある。図１に示すように、本実施形態に係る電気泳動装置２０は、第１基板１と第２基板２とを有し、これら第１基板１と第２基板２との間に、電気泳動分散液１０を封入したマイクロカプセル４０が収容されている。
【００２６】
ここで、各マイクロカプセル壁膜の観測側（観察者に視認される側）は、後述する印刷手法により、同一色、あるいは２種類以上の色にそれぞれ着色されている。同図では、３種類の色、すなわち第１の色相３０、第２の色相３１および第３の色相３２に塗り分けられた場合を例示している。
【００２７】
第２基板２は、たとえば透明ガラスや透明フィルムなどの光透過性板で構成してある。この第２基板２の第１基板１との対向面には、透明電極４が成膜してある。透明電極４は、たとえば酸化インジウム・スズ（ＩＴＯ）膜などで構成される。このように、第２基板と透明電極４との両方を透明な部材で構成することにより、第２基板２側が本実施形態の電気泳動装置２０の視認側となる。
【００２８】
第１基板１は、必ずしも透明である必要はないが、たとえばガラス基板やフィルム基板により構成される。また、第１基板１の第２基板との対向面には、電極３が形成される。電極３は、必ずしも透明電極である必要はないが、たとえばＩＴＯ膜で構成される。また、電極３は、所望の画像パターンを表示すべく、適当に分割されている。電気泳動分散液１０は、液相分散媒６と、この分散媒に分散されている帯電した電気泳動粒子５とを含む。
【００２９】
ここで、液相分散媒６としては、水、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１，２−ジクロロエタン等のハロゲン化炭化水素、カルボン酸塩又はその他の種々の油類等の単独又はこれらの混合物に界面活性剤等を配合したものを用いることができる。
【００３０】
また、電気泳動粒子５は、分散媒中で電位差による電気泳動により移動する性質を有する有機あるいは無機の粒子（高分子あるいはコロイド）である。たとえば、アニリンブラック、カーボンブラック等の黒色顔料、二酸化チタン、亜鉛華、三酸化アンチモン等の白色顔料、モノアゾ、ジイスアゾン、ポリアゾ等のアゾ系顔料、イソインドリノン、黄鉛、黄色酸化鉄、カドミウムイエロー、チタンイエロー、アンチモン等の黄色顔料、モノアゾ、ジスアゾ、ポリアゾ等のアゾ系顔料、キナクリドンレッド、クロムバーミリオン等の赤色顔料、フタロシアニンブルー、インダスレンブルー、アントラキノン系染料、紺青、群青、コバルトブルー等の青色顔料、フタロシアニングリーン等の緑色顔料等の１種又は２種以上を用いることができる。
【００３１】
さらに、これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００３２】
マイクロカプセル４０を構成する材料としては、アラビアゴム・ゼラチンの複合膜、ウレタン樹脂、ウレア樹脂、尿素樹脂、などの化合物が使用できる。マイクロカプセルの作製手法としては、界面重合法、ｉｎ−ｓｉｔｕ重合法、相分離法、界面沈殿法、スプレードライング法、等の公知のマイクロカプセル化手法を使用できる。また、マイクロカプセルは、大きさがほぼ均一であることが、優れた表示機能を発揮せしめる上で好ましい。大きさがほぼ均一なマイクロカプセルは、たとえば濾過又は比重差分級等を用いて得ることができる。マイクロカプセルの大きさは、通常３０〜１００μｍ程度である。
【００３３】
マイクロカプセル壁膜への着色は、たとえば以下のような方法で実現することができる。先ず、上述の方法で作成したマイクロカプセル４０を、ロールコーター法、ロールラミネータ法、ナイフコーター法、スクリーン印刷法、スプレー法、インクジェット法、等の公知のコーティング法を用いて、電極３上に塗工形成する。
【００３４】
次に、図２に示すように、マイクロカプセル壁膜の観測側、すなわち第１基板１に面していない部分を、インクジェットヘッド５０を用いたインクジェット法によりに着色する。すなわち、第１基板１上の所定位置にインクジェットヘッド５０を移動させ、インクジェットヘッド５０のインク吐出部からインクを吐出してマイクロカプセル壁膜の着色を行う。ただし、マイクロカプセル壁膜の観測側以外の部分が着色されても、表示品質上何ら問題はない。
【００３５】
ここで、着色する色相および着色パターンは、電極３の分割パターン、所望の表示画像、分散媒および電気泳動粒子の色相などに応じて決定される。たとえば、分散媒が黒色で電気泳動粒子が白色の場合、加法混色あるいは減法混色の三原色で、電極３の分割パターンに対応して順次着色することにより、フルカラー表示が可能となる。
また、上記の着色に使用するインクとしては、染料タイプと顔料タイプのいずれでも良い。
【００３６】
以上の説明では、インクジェット法を例に挙げたが、スクリーン印刷法、オフセット印刷法など他の公知の印刷手法を用いても良い。
【００３７】
最後に、電極４がマイクロカプセルに接するように、第２基板２をラミネートすることにより、図１に示した電気泳動装置が形成される。
【００３８】
（第２の実施形態）
図３は、本発明の第２の実施形態による電気泳動装置を示す図である。ここで、簡単のために同図では電源装置を省略してある。
図３に示すように、本実施形態に係る電気泳動装置２０は、第１基板１と第２基板２とを有し、これら基板１と２との間に、電気泳動分散液１０がマイクロカプセル４０に封入され、バインダ４１とともにマイクロカプセル層として収容されている。
ここで、バインダ４１の観測側は、前述したような印刷手法により、同一色あるいは２種類以上の色に着色されている。
【００３９】
本実施形態においてマイクロカプセル層は、上述のマイクロカプセル４０をバインダ樹脂中に、所望により誘電率調節剤とともに混合し、得られた樹脂組成物（エマルジョンあるいは有機溶媒溶液）を、基板上に、ロールコーター法、ロールラミネータ法、スクリーン印刷法、スプレー法、インクジェット法、等の公知のコーティング法を用いて形成することができる。
【００４０】
用いることのできるバインダ樹脂は、マイクロカプセル４０と親和性が良好で、基材と密着性に優れ、かつ絶縁性を有するものであれば特に制限はない。
【００４１】
かかるバインダ樹脂として、たとえば、ポリエチレン、塩素化ポリエチレン、エチレン−酢酸ビニル共重合体、エチレン−アクリル酸エチル共重合体、ポリプロピレン、ＡＢＳ樹脂、メタクリル酸メチル樹脂、塩化ビニル樹脂、塩化ビニル−酢酸ビニル共重合体、塩化ビニル−塩化ビニリデン共重合体、塩化ビニルアクリル酸エステル共重合体、塩化ビニル−メタクリル酸共重合体、塩化ビニル−アクリロニトリル共重合体、エチレン−ビニルアルコール−塩化ビニル共重合体、プロピレン−塩化ビニル共重合体、塩化ビニリデン樹脂、酢酸ビニル樹脂、ポリビニルアルコール、ポリビニルホルマール、セルロース系樹脂等の熱可塑性樹脂、ポリアミド系樹脂、ポリアセタール、ポリカーボネート、ポリエチレンテレフタレート、ポリブチレンテレフタレート、ポリフェニレンオキサイド、ポリスルホン、ポリアミドイミド、ポリアミノビスマレイミド、ポリエーテルスルホン、ポリフェニレンスルホン、ポリアリレート、グラフト化ポリフィニレンエーテル、ポリエーテルエテルケトン、ポリエーテルイミド等の高分子、ポリ四フッ化エチレン、ポリフッ化エチレンプロピレン、四フッ化エチレン−パーフロロアルコキシエチレン共重合体、エチレン−四フッ化エチレン共重合体、ポリフッ化ビニリデン、ポリ三フッ化塩化エチレン、フッ素ゴム等のフッ素系樹脂、シリコーン樹脂、シリコーンゴム等の珪素樹脂、その他として、メタクリル酸−スチレン共重合体、ポリブチレン、メタクリル酸メチル‐ブタジエン−スチレン共重合体等を用いることができる。
【００４２】
また、電気泳動表示液１０の誘電率とバインダ４１の誘電率とを略同じとするのが好ましい。そのため、上記バインダ樹脂組成物には、たとえば、アルコール類、ケトン類、カルボン酸塩等をさらに添加するのが好ましい。かかるアルコール類としては、１，２−ブタンジオール、１，４−ブタンジオール等が用いられる。
【００４３】
以上の説明では、バインダ４１だけが着色された場合を示したが、マイクロカプセル４０の壁膜とバインダ４１との両方が着色されていても良いことは明らかである。
【００４４】
（第３の実施形態）
図４及び図５は、本発明の電気泳動装置を電気泳動表示装置に適用した場合の第３の実施形態の構成を示す断面図である。本実施形態の電気泳動表示装置はアクティブマトリクス型の電気泳動表示装置の例であり、図４は電気泳動表示装置の平面図である。また、図５は、図４のＡ−Ａ’線に沿う断面構造を示す図である。
【００４５】
これらの図に示す電気泳動装置２０Ｂは、対向配置された第１基板１と第２基板２との間に電気泳動層（電気光学層）２１を備えて構成されている。第２基板２の内面側（電気泳動層２１側）に共通電極４と絶縁性被膜１１とが順に形成されている。第１基板１の内面側（電気泳動層２１側）には、複数の画素電極３等を有する素子部２７が形成されている。第２基板２側において、第２基板２、共通電極４および絶縁性被膜１１は光透過性を有しており、第２基板２の外面がこの電気泳動装置２０Ｂの表示面とされている。なお、図示されていないが、素子部２７を有する第１基板１には、素子部２７を駆動制御するための各種周辺回路を形成することもできる。また、本実施形態では、共通電極４を第２基板２側に形成し、素子部２７を第１基板１側に形成しているが、素子部２７が第２基板２側に形成されていても良い。
【００４６】
第２基板２は、例えば透明ガラスや透明フィルムなどの透光性を有する基板で構成することができ、第１基板１は、必ずしも透明である必要はないが、例えばガラス基板や樹脂フィルム基板などで構成することができる。
【００４７】
電気泳動層２１は、図５に示すように、マイクロカプセル４０に収容した分散媒６中に複数の電気泳動粒子５を分散させ、マイクロカプセル４０，４０間をバインダ４１により充填してなるものである。また、電気泳動粒子５は、分散媒中で電位差による電気泳動により移動する性質を有する有機あるいは無機の粒子（高分子あるいはコロイド）である。さらに、これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。上記分散媒６と電気泳動粒子５との組み合わせには特に限定はないが、電気泳動粒子５の重力による沈降を避けるために分散媒６の比重と電気泳動粒子５の比重はほぼ等しく設定されることが好ましい。
【００４８】
図４は、本実施形態の電気泳動表示装置２０Ｂの画像表示領域を構成するマトリクス状に配置された複数の画素部１７（画素電極３、ＴＦＴ素子１３）、データ線１６、走査線１４等を示す平面図である。本実施形態の電気泳動表示装置２０Ｂにおいて、画像表示領域を構成するマトリクス状に配置された複数の表示単位には、透明導電層としての画素電極３と、この画素電極３への通電制御を行うためのＴＦＴ素子１３がそれぞれ形成されており、画像信号が供給されるデータ線１６が当該ＴＦＴ素子１３のソースに電気的に接続されている。データ線１６に書き込む画像信号は、線順次に供給されるか、あるいは相隣接する複数のデータ線１６に対してグループ毎に供給される。
【００４９】
また、図５に示すように、走査線１４がＴＦＴ素子１３のゲートに電気的に接続されており、複数の走査線１４に対して走査信号が所定のタイミングでパルス的に線順次で供給される。また、画素電極３はＴＦＴ素子１３のドレイン電極１９に電気的に接続されており、ＴＦＴ素子１３を一定期間だけオンすることにより、データ線１６から供給される画像信号を所定のタイミングで書き込む。画素電極３に書き込まれた所定レベルの画像信号は、共通電極４との間で一定期間保持される。電荷を有する電気泳動粒子５は、画素電極３と共通電極４のうち、粒子と反対極性の電極の方へ引き寄せられ、帯電粒子の色と分散媒の色との対比によって階調表示を可能にする。
【００５０】
図４に示すように、第１基板１上に、複数の画素電極３がマトリクス状に設けられており、画素電極３の縦横の境界に各々沿ってデータ線１６及び走査線１４が設けられている。本実施形態において、データ線１６、走査線１４に囲まれた領域に形成されたドット領域が表示単位であり、マトリクス状に配置された各ドット領域毎にマイクロカプセル４０内の電気泳動粒子５を移動させて表示を行うことが可能な構造になっている。
【００５１】
また図５に示すように、本実施形態に係る電気泳動層２１では、複数のマイクロカプセル４０に跨ってマイクロカプセル壁膜４０ａが着色されて色相３０〜３２が形成されている。これらの色相３０〜３２の領域は図４に示すデータ線１６と走査線１４に囲まれたドット領域に対応して形成されており、２つのドット領域に跨って配置されたマイクロカプセル４０の壁膜４０ａは、図５に示すように２色に着色されている。このように、本実施形態の構成によれば、マイクロカプセル壁膜４０ａを直接着色する構成とされているので、マイクロカプセル４０の配置状態によらず、ドット領域毎に異なる色相を形成することが可能である。
【００５２】
尚、本実施形態では、マイクロカプセル壁膜４０ａのみを着色した場合について説明したが、マイクロカプセル４０とともにバインダ４１を着色しても良く、あるいはバインダ４１のみが各ドット領域に対応して着色された構成としてもよい。
【００５３】
（電子機器）
次に、本発明の電子機器の実施形態である電子ブックの構成について、図６を参照して説明する。
この電子ブック６１は、ＣＤＲＯＭ等の記憶媒体に格納される電子出版に係る書籍などのデータを表示装置の表示画面に表示して読むようにしたものであり、その表示装置として上述した電気泳動表示装置を適用したものである。
このため電子ブック６１は、図６に示すように、ブック形状のフレーム６２と、このフレーム６２に開閉可能なカバー６３とを有している。フレーム６２には、その表面に表示面を露出させた状態の表示装置６４と、操作部６５とが設けられている。
フレーム６２の内部には、図７に示すように、コントローラ３６、カウンタ３７、メモリ３８、およびＣＤＲＯＭ等の記憶媒体のデータを読み取るデータ読み取り装置（図示せず）などが内蔵されている。
表示装置６４は、この例では、図１に示すような電気泳動表示装置２０に基づいて構成される画素部６９と、この画素部６９と一体に備えられ且つ集積化された周辺回路７０とを備える。周辺回路７０には、デコーダ方式のスキャンドライバ及びデータドライバを備える。
【００５４】
本発明の電子機器は、電気泳動表示装置に基づいて構成される表示装置６４を備えたものであればよく、上述した実施形態の電子ブックに限定されることはない。以下、その表示装置６４を備えた電子機器の他の例のいくつかについて説明する。
【００５５】
＜モバイル型コンピュータ＞
まず、上述した表示装置６４を、モバイル型のパーソナルコンピュータに適用した例について説明する。図８は、このパーソナルコンピュータの構成を示す斜視図である。パーソナルコンピュータ８０は、図８に示すように、キーボード８１を備えた本体部８２と、上述した表示装置６４を備えた表示ユニットとから構成されている。
【００５６】
＜携帯電話＞
次に、上述した表示装置６４を、携帯電話の表示部に適用した例について説明する。図９は、この携帯電話の構成を示す斜視図である。この携帯電話９０は、図９に示すように、複数の操作ボタン９１のほか、受話口９２、送話口９３とともに、上述した表示装置６４を備えるものである。
【００５７】
＜ディジタルスチルカメラ＞
さらに、上述した表示装置６４をファインダに用いたディジタルスチルカメラに適用した例ついて説明する。図１０は、このディジタルスチルカメラの構成を示す斜視図であるが、外部機器との接続についても簡易的に示すものである。
通常のカメラは、被写体の光像によってフィルムを感光するのに対し、ディジタルスチルカメラ１００は、被写体の光像をＣＣＤ（Charge Coupled Device）などの撮像素子により光電変換して撮像信号を生成するものである。
【００５８】
ディジタルスチルカメラ１００におけるケース１０１の背面には、上述した表示装置６４が設けられ、ＣＣＤによる撮像信号に基づいて、表示を行う構成となっている。このため、表示装置６４は、被写体を表示するファインダとして機能する。また、ケース１０１の観察側（図においては裏面側）には、光学レンズやＣＣＤなどを含んだ受光ユニット１０２が設けられている。
ここで、撮影者が表示装置６４に表示された被写体像を確認して、シャッタボタン１０３を押下すると、その時点におけるＣＣＤの撮像信号が、回路基板１０４のメモリに転送・格納される。
【００５９】
また、このディジタルスチルカメラ１００にあっては、ケース１０１の側面に、ビデオ信号出力端子１０５と、データ通信用の入出力端子１０６とが設けられている。そして、図示のように、前者のビデオ信号出力端子１０５にはテレビモニタ１０８が、また、後者のデータ通信用の入出力端子１０６にはパーソナルコンピュータ１０８が、それぞれ必要に応じて接続される。さらに、所定の操作によって、回路基板１０４のメモリに格納された撮像信号が、テレビモニタ１０７や、パーソナルコンピュータ１０８に出力される構成となっている。
【００６０】
＜電子ペーパー＞
次に、上述した表示装置６４を、電子ペーパーの表示部に適用した例について説明する。図１１は、この電子ペーパーの構成を示す斜視図である。この電子ペーパー１１０は、紙と同様の質感および柔軟性を有するリライタブルシートからなる本体１１１と、上述した表示装置６４を備えた表示ユニットとから構成されている。
【００６１】
＜電子ノート＞
また、図１２は、電子ノートの構成を示す斜視図である。この電子ノート１２０は、図１１に示した電子ペーパー１１０が複数枚束ねられ、それらの電子ペーパー１１０がカバー１２１に挟まれているものである。カバー１２１に表示データ入力手段を備えることにより、束ねられた状態で電子ペーパーの表示内容を変更することができるようになっている。
【００６２】
以上説明した本発明の電子機器の各実施形態によれば、表示装置６４として、先の第１〜第３の実施形態の電気泳動表示装置を使用するようにした。このため、電気泳動表示装置であっても、視差の生じない表示装置を得ることができる。
【００６３】
なお、上記の電子機器としては、図６の電子ブック、図８のパーソナルコンピュータ、図９の携帯電話、図１０のディジタルスチルカメラ、図１１の電子ペーパーの他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、上述した表示装置が適用可能なのは言うまでもない。
【００６４】
【発明の効果】
以上説明したように、本発明における電気泳動装置は、第１の基板と、前記第１の基板上に設けられた第１の電極と、第２の基板と、前記第２の基板上に設けられ、前記第１の電極に対向する第２の電極と、前記第１の電極と前記第２の電極との間に挟持された電気光学層とを有し、前記電気光学層に、液相分散媒と電気泳動粒子とを含む電気泳動分散液を封入したマイクロカプセルが収容され、前記マイクロカプセルの壁膜の視認側が着色されていることを特徴としている。このような構成とすることで、色フィルターを使用する必要がなくなるためコスト上昇を招くことがなく、電気泳動分散液に接しているマイクロカプセル壁膜の視認側を着色することから、視差の発生を防ぐことができる。
【００６５】
また、本発明の電気泳動装置の製造方法においては、マイクロカプセル壁膜やバインダを着色するための手段として、インクジェット法、スクリーン印刷法、オフセット印刷法などの印刷手法を使用することができる。これにより、簡単な工程で電気泳動装置を製造することができるという効果がある。
【００６６】
また、本発明における電子機器では、表示装置を、電気泳動装置を使用した電気泳動表示装置から構成するようにした。このため、本発明の電子機器によれば、電気泳動表示装置であっても、視差の生じない表示装置が得られる。
【図面の簡単な説明】
【図１】  本発明の第１の実施形態による電気泳動装置の構造を示す図である。
【図２】  本発明の第１の実施形態による電気泳動装置におけるマイクロカプセル壁膜の着色方法を示す図である。
【図３】  本発明の第２の実施形態による電気泳動装置を示す図である。
【図４】  本発明の第３の実施形態による電気泳動表示装置の平面図である。
【図５】  図４に示すＡ−Ａ’線に沿う断面構造を示す図である。
【図６】  本発明の電子機器の例である電子ブックの外観構成を示す斜視図である。
【図７】  その電子ブックの電気的な構成を示すブロック図である。
【図８】  本発明の電子機器の例であるコンピュータの外観構成を示す斜視図である。
【図９】  本発明の電子機器の例である携帯電話の外観構成を示す斜視図である。
【図１０】  本発明の電子機器の例であるディジタルスチルカメラの外観構成を示す斜視図である。
【図１１】  本発明の電子機器の例である電子ペーパーの外観構成を示す斜視図である。
【図１２】  本発明の電子機器の例である電子ノートの外観構成を示す斜視図である。
【図１３】  一般的な電気泳動装置の例を示す図であり、図（ａ）は構造を示す図、図（ｂ）および（ｃ）は画像表示原理を示す図である。
【符号の説明】
１  第１基板
２  第２基板
３  電極
４  透明電極
５  電気泳動粒子
６  液相分散媒
８  切換えスイッチ
９ａ，９ｂ  電圧源
１０  電気泳動分散液
２０  電気泳動装置
３０  第１の色相に着色された部分
３１  第２の色相に着色された部分
３２  第３の色相に着色された部分
４０  マイクロカプセル
４０ａ  マイクロカプセル壁膜
４１  バインダ
５０  インクジェットヘッド
６１  電子ブック
６４  表示装置
８０  パーソナルコンピュータ
９０  携帯電話
１００  ディジタルスチルカメラ
１１０  電子ペーパー
【図１】
0004007119.tif 000002
【図２】
0004007119.tif 000003
【図３】
0004007119.tif 000004
【図４】
0004007119.tif 000005
【図５】
0004007119.tif 000006
【図６】
0004007119.tif 000007
【図７】
0004007119.tif 000008
【図８】
0004007119.tif 000009
【図９】
0004007119.tif 000010
【図１０】
0004007119.tif 000011
【図１１】
0004007119.tif 000012
【図１２】
0004007119.tif 000013
【図１３】
0004007119.tif 000014